(57)【要約】【課題】検体計測装置へ吸入される液量の精度が高く、誤差を少なくする。【解決手段】両端に開口を有するキャピラリーと、このキャピラリーの一端部に結合する結合孔と、この結合孔と連通して反対方向にテーパ状に外側へ大きくなるように形成された吸引側穴部と、前記結合孔及び前記吸引側穴部が形成された本体部と、この本体部から前記キャピラリーのラジアル方向へ突出して設けられたツマミ部とを備えるアダプタとを具備する。【選択図】図１
2008275353.tif 000002
【特許請求の範囲】
【請求項１】
両端に開口を有するキャピラリーと、
このキャピラリーの一端部に結合する結合孔と、この結合孔と連通して反対方向にテーパ状に外側へ大きくなるように形成された吸引側穴部と、前記結合孔及び前記吸引側穴部が形成された本体部と、この本体部から突出して設けられたツマミ部とを備えるアダプタと、
を具備することを特徴とする微量液採取器具。
【請求項２】
アダプタが弾性を有する合成樹脂により作成されていることを特徴とする請求項１に記載の微量液採取器具。
【請求項３】
キャピラリーとアダプタとは別部材により構成されることを特徴とする請求項１または２に記載の微量液採取器具。
【請求項４】
キャピラリーの一端部に結合する結合孔と、
この結合孔と連通して反対方向にテーパ状に外側へ大きくなるように形成された吸引側穴部と、
前記結合孔及び前記吸引側穴部が形成された本体部と、
この本体部から突出して設けられたツマミ部と
を具備することを特徴とするアダプタ。
【請求項５】
弾性を有する合成樹脂により作成されていることを特徴とする請求項４に記載のアダプタ。
【発明の詳細な説明】
【技術分野】
【０００１】
この発明は、例えば新生児や小児などから血液などの微量サンプルを採取する際に用いるキャピラリーを含む微量液採取器具及びその器具を構成するアダプタに関するものである。
【背景技術】
【０００２】
従来、キャピラリーによって血液などのサンプルを採取した場合には、例えば、図８に示すような底部が尖った蓋付の容器５５に対し、検体計測装置６０からサンプル吸引管６１を介して希釈用試薬を吐出させて蓄積し、図９に示すように、サンプルが入った状態のキャピラリー７０を先端側に取り付けたスポイト７１を操作して、サンプルを容器５５へ吐出する。
【０００３】
次に図１０に示すように、容器５５の蓋を閉めて上下に振るなどして希釈用試薬とサンプルとの攪拌を行い、攪拌の後に容器５５の蓋を開けて検体計測装置６０のサンプル吸引管６１の先端が図１１（ｂ）に示されるように容器５５の底部に届くようにして、検体計測装置６０に吸引を行わせる。
【０００４】
しかしながら、このような手法によれば、図９のスポイト７１を操作して吐出させるときにスポイト７１から完全に吐出できないことや、図１０の攪拌に作業者毎の攪拌むらが生じるなどという作業者の手技による誤差などの積み重ねにより正確な計測ができ難いという問題があった。
【０００５】
上記に対し特許文献１には、キャピラリーを自動分析装置にそのままセットするためのホルダが示されている。
【特許文献１】実開平６−７０４２号公報
【０００６】
しかしながら、このホルダは、キャピラリー全体を空隙部４に挿入するものであり、内径が１ｍｍ以下のキャピラリーを挿入する際に折れるなどの危惧がある。また、有底のキャピラリーにサンプル吸引管を挿入して吸引を行う構造であり、小孔部５ａにおいてサンプル吸引管との間に空隙がなければ吸引時に空気が流入せず正確なサンプル吸引が困難なであるため、サンプル吸引管の外径は、キャピラリー内径より、十分小さくかつ管状構造でなければならないため、製法が困難であり現実的ではない。
【発明の開示】
【発明が解決しようとする課題】
【０００７】
本発明は上記のような従来の微量液採取器具における問題点を解決せんとしてなされたもので、その目的は、検体計測装置へ吸入される液量の精度が高く、誤差を少なくすることができる微量液採取器具及びアダプタを提供することである。また、計測作業を行い易く、また検体計測装置の要求にも合せ易い微量液採取器具及びアダプタを提供することを目的とする。
【課題を解決するための手段】
【０００８】
本発明に係る微量液採取器具は、両端に開口を有するキャピラリーと、このキャピラリーの一端部に結合する結合孔と、この結合孔と連通して反対方向にテーパ状に外側へ大きくなるように形成された吸引側穴部と、前記結合孔及び前記吸引側穴部が形成された本体部と、この本体部から突出して設けられたツマミ部とを備えるアダプタとを具備することを特徴とする。
【０００９】
本発明に係る微量液採取器具は、アダプタが弾性を有する合成樹脂により作成されていることを特徴とする。
【００１０】
本発明に係る微量液採取器具は、キャピラリーとアダプタとは別部材により構成されることを特徴とする。
【００１１】
本発明に係るアダプタは、キャピラリーの一端部に結合する結合孔と、この結合孔と連通して反対方向にテーパ状に外側へ大きくなるように形成された吸引側穴部と、前記結合孔及び前記吸引側穴部が形成された本体部と、この本体部から突出して設けられたツマミ部とを具備することを特徴とする。
【００１２】
本発明に係るアダプタは、弾性を有する合成樹脂により作成されていることを特徴とする。
【発明の効果】
【００１３】
本発明に係る微量液採取器具は、結合孔及び吸引側穴部が形成された本体部が結合孔においてキャピラリーの一端部に結合する構成であるため、細長いキャピラリーを挿入する際に折れるなど心配をなくすることができる。また、キャピラリーに入った液体を吸引側穴部から吸引するとキャピラリーの他端側の開口から空気が流入して適切な吸引が保証される。また、キャピラリーの容量により液量が決定されるため作業者の手技による誤差のない計測が可能である効果がある。更に、ツマミ部により扱いが容易である利点を有している。
【００１４】
アダプタは、弾性を有する合成樹脂により作成されているので、様々な外径の大きさのキャピラリーを用いることができ、別途シール材が不要となる。また、検体計測装置のサンプル吸引管との衝突などによる毀損の心配がなく、作業性に優れる。
【００１５】
キャピラリーとアダプタとは別部材により構成されるので、市販のキャピラリーを用いることができる利点がある。
【発明を実施するための最良の形態】
【００１６】
以下図面を参照して、本発明に係る微量液採取器具及びアダプタの実施例を説明する。各図において、同一の構成要素には、同一の符号を付して重複する説明を省略する。実施例に係る微量液採取器具１０は、図１、図２に示すようにガラス、プラスチックなどにより作成され、両端に開口を有するキャピラリー１１を備える。キャピラリー１１の外径寸法は、例えば０．８〜０．９ｍｍ、容量は３〜１５μＬ程度のものを用いる。
【００１７】
アダプタ２０は、ゴムなどの弾性を有する合成樹脂により構成され、概ね直方体状の本体部２１と、ツマミ部２２とを有している。本体部２１の一側面には、キャピラリー１１の一端部に結合する結合孔２３が形成されており、この結合孔２３と連通して反対方向にテーパ状に外側へ大きくなるようにテーパ部２４ａが形成された吸引側穴部２４が形成されている。
【００１８】
結合孔２３と吸引側穴部２４の境界部分は、段部２５となっており、キャピラリー１１を挿入した場合のストッパの機能を有している。本体部２１における吸引側穴部２４の開口を有する面の周縁部は本体部２１から外側へ僅かに突出したフランジ部２１ａとなっており、本体部２１の面積が大きい面には、結合孔２３と吸引側穴部２４に応じた緩やかな膨部２６が形成されている。
【００１９】
ツマミ部２２は、薄板状であって、結合孔２３に挿入されたキャピラリー１１のラジアル方向へ突出して設けられている。また、結合孔２３の開口部は本体部２１からやや突出したスリーブ２７に形成されている。
【００２０】
以上の通り構成される微量液採取器具１０は、図３〜図５に示される組立治具３０を用いて作成される。組立治具３０は、キャピラリー１１が配置される一端側に壁部３２を有する溝部３１と、溝部３１の他端側に設けられアダプタ２０を配置する配置台部３３を備えている。配置台部３３の一側部にはガイド壁３４が設けられ、配置台部３３と溝部３１の境界部分はアダプタ２０の進行を停止させるストッパの機能を有する壁面３５となっている。また、壁面３５の下端部にはアダプタ２０のスリーブ２７が入り込む穴部３６が形成されている。
【００２１】
微量液採取器具１０を組み立てる場合には、図３に示されるように、溝部３１にキャピラリー１１を、その一端部が壁部３２に当接した状態で配置する。このとき、図４に示されるようにキャピラリー１１の他端側は壁面３５から配置台部３３に突出した状態となる。
【００２２】
図４に示されるような状態において、アダプタ２０をツマミ部２２が配置台部３３のオープン側に位置するようにして、ツマミ部２２と対向する面をガイド壁３４に沿わせて、キャピラリー１１側へ押し付ける。壁面３５から突出したキャピラリー１１の端部は、アダプタ２０の結合孔２３に入り込み、アダプタ２０の進行はストッパの機能を有する壁面３５によって阻止される。このとき壁面３５から突出したキャピラリー１１の端部は結合孔２３に入り込むが、段部２５のストッパとしての作用により停止され、微量液採取器具１０が出来上がる。これにより、市販のキャピラリー１１をそのまま用いることができる。
【００２３】
微量液採取器具１０は次のようにして用いることができる。図６に示される血液などの液体サンプル５１に、キャピラリー１１の先端を差し込んで、毛細管現象により液体サンプル５１をキャピラリー１１内に満たす。このときツマミ部２２を指で挟んで作業を行うことができ、作業性を向上させる。
【００２４】
図７に示すように、ツマミ部２２を指で挟んでアダプタ２０の吸引側穴部２４の開口を、検体計測装置６０のサンプル吸引管６１の下方に位置付けて、サンプル吸引管６１の先端が吸引側穴部２４におけるテーパ部２４ａに当接するように操作し、検体計測装置６０を操作して液体サンプル５１の吸引を行わせる。
【００２５】
検体計測装置６０は、吸引した液体サンプル５１と先に所定量を吸引してある希釈用試薬とを混合攪拌して、分析を行い、結果を出力する。
【００２６】
以上の通りの作業が行われる結果、液体サンプル５１の容量はキャピラリー１１の容量となり、作業者の作業精度に拘らず一定となり、また、希釈用試薬の量や攪拌作業が一定となり、バラツキによる誤差を少なくして測定精度を向上させることができる。また作業性の向上により、作業時間を短縮できる効果も生じる。
【図面の簡単な説明】
【００２７】
【図１】本発明に係る微量液採取器具の実施例を示す斜視図。
【図２】本発明に係る微量液採取器具の実施例を示す断面図。
【図３】本発明に係る微量液採取器具の実施例に関する組み立て工程を示す斜視図。
【図４】本発明に係る微量液採取器具の実施例に関する組み立て工程を示す斜視図。
【図５】本発明に係る微量液採取器具の実施例に関する組み立て工程を示す斜視図。
【図６】本発明に係る微量液採取器具の実施例を用いた計測工程を示す斜視図。
【図７】本発明に係る微量液採取器具の実施例を用いた計測工程を示す斜視図であり、（ａ）は要部を示し、（ｂ）は要部を拡大したものであり、（ｃ）は（ｂ）のＡ−Ａ断面図である。
【図８】キャピラリーを用いた従来の計測工程を示す斜視図。
【図９】キャピラリーを用いた従来の計測工程を示す斜視図。
【図１０】キャピラリーを用いた従来の計測工程を示す斜視図。
【図１１】キャピラリーを用いた従来の計測工程を示す斜視図。
【符号の説明】
【００２８】
１０  微量液採取器具
１１  キャピラリー
２０  アダプタ
２１  本体部
２１ａ  フランジ部
２２  ツマミ部
２３  結合孔
２４  吸引側穴部
２４ａ  テーパ部
２５  段部
２７  スリーブ
３０  組立治具
３１  溝部
３２  壁部
３３  配置台部
５１  液体サンプル
６０  検体計測装置
６１  サンプル吸引管
【図１】
2008275353.tif 000003
【図２】
2008275353.tif 000004
【図３】
2008275353.tif 000005
【図４】
2008275353.tif 000006
【図５】
2008275353.tif 000007
【図６】
2008275353.tif 000008
【図７】
2008275353.tif 000009
【図８】
2008275353.tif 000010
【図９】
2008275353.tif 000011
【図１０】
2008275353.tif 000012
【図１１】
2008275353.tif 000013